(57)【要約】      （修正有）【課題】内輪のスリンガ用嵌合面と、スリンガの円筒部との嵌合部のシール性を損なわせる様な傷が、円筒部の内周面に付かない様にする。【解決手段】内輪１９ａの表面のうち、スリンガ用嵌合面２０部分と、面取り部２５ａ部分と、これら両部分同士の繋ぎ目２７ａ部分とから成る、互いに連続した部分を、前記内輪１９ａの熱処理後に、総型の回転砥石により同時に研削することによって、互いに連続した部分全体を、断面形状に関して微分不能な角部がない平滑面とする。【選択図】図１
2012197800.tif 000002
【特許請求の範囲】
【請求項１】
転がり軸受ユニットと、組み合わせシールリングとを備え、
このうちの転がり軸受ユニットは、互いに同心に配置された回転側軌道輪及び静止側軌道輪と、これら回転側軌道輪及び静止側軌道輪の互いに対向する周面にそれぞれ設けられた回転側軌道と静止側軌道との間に転動自在に設けられた複数個の転動体とを備えたものであり、
前記組み合わせシールリングは、前記回転側軌道輪と前記静止側軌道輪との互いに対向する周面同士の間に存在する環状空間の端部開口を塞ぐもので、スリンガと、シールリングとを備え、
このうちのスリンガは、金属板を曲げ成形する事により、全体を、一部に円筒部を含んだ円環状に造られたもので、このうちの円筒部を、前記回転側軌道輪と前記静止側軌道輪とのうちの一方の軌道輪の周面の一部で他方の軌道輪の周面に対向する部分に設けられた円筒状のスリンガ用嵌合面に、このスリンガ用嵌合面の軸方向片側から圧入する事により締り嵌めで嵌合固定しており、
前記シールリングは、円環状の芯金と、この芯金により補強された、弾性材製で円環状のシール部材とを備えたもので、このうちの芯金を前記他方の軌道輪の周面の一部で前記スリンガに対向する部分に嵌合固定すると共に、前記シール部材を構成する複数本のシールリップの先端部を、前記スリンガの表面に全周に亙り摺接させている、
組み合わせシールリング付転がり軸受ユニットに於いて、
前記一方の軌道輪の表面のうち、前記スリンガ用嵌合面部分と、このスリンガ用嵌合面の軸方向片側隣りに存在する別の面部分と、これら両部分同士の繋ぎ目部分とから成る、互いに連続した部分全体が、前記一方の軌道輪の熱処理後に、総型の回転砥石により同時に研削される事により、断面形状に関して微分不能な角部がなく滑らかに連続した平滑面になっている事を特徴とする組み合わせシールリング付転がり軸受ユニット。
【請求項２】
シールリングを構成する芯金は、金属板を曲げ成形する事により、全体を、一部に円筒部を含んだ円環状に造られていて、この円筒部を、他方の軌道輪の周面の一部でスリンガに対向する部分に設けられた円筒状のシールリング用嵌合面に、このシールリング用嵌合面の軸方向片側から圧入する事により締り嵌めで嵌合固定しており、前記他方の軌道輪の表面のうち、前記シールリング用嵌合面部分と、このシールリング用嵌合面の軸方向片側隣りに存在する別の面部分と、これら両部分同士の繋ぎ目部分とから成る、互いに連続した部分全体が、前記他方の軌道輪の熱処理後に、総型の回転砥石により同時に研削される事により、断面形状に関して微分不能な角部がなく滑らかに連続した平滑面になっている、請求項１に記載したシールリング付転がり軸受ユニット。
【請求項３】
スリンガは、円筒部と、この円筒部の軸方向両端縁のうち、この円筒部のスリンガ用嵌合面への圧入方向と反対側の軸方向端縁である軸方向一端縁から他方の軌道輪に向け径方向に折れ曲がった円輪部と、この円輪部と前記円筒部との連続部に存在する断面円弧形の湾曲部とを備えたもので、この円筒部の軸方向他端部及び中間部のみを前記スリンガ用嵌合面に、このスリンガ用嵌合面の軸方向片側から圧入する事により締り嵌めで嵌合固定している、請求項１〜２のうちの何れか１項に記載したシールリング付転がり軸受ユニット。
【請求項４】
転がり軸受ユニットと、組み合わせシールリングとを備え、
このうちの転がり軸受ユニットは、互いに同心に配置された回転側軌道輪及び静止側軌道輪と、これら回転側軌道輪及び静止側軌道輪の互いに対向する周面にそれぞれ設けられた回転側軌道と静止側軌道との間に転動自在に設けられた複数個の転動体とを備えたものであり、
前記組み合わせシールリングは、前記回転側軌道輪と前記静止側軌道輪との互いに対向する周面同士の間に存在する環状空間の端部開口を塞ぐもので、スリンガと、シールリングとを備え、
このうちのスリンガは、金属板を曲げ成形する事により、全体を、一部に円筒部を含んだ円環状に造られたもので、このうちの円筒部を、前記回転側軌道輪と前記静止側軌道輪とのうちの一方の軌道輪の周面の一部で他方の軌道輪の周面に対向する部分に設けられた円筒状のスリンガ用嵌合面に、このスリンガ用嵌合面の軸方向片側から圧入する事により締り嵌めで嵌合固定しており、
前記シールリングは、円環状の芯金と、この芯金により補強された、弾性材製で円環状のシール部材とを備えたもので、このうちの芯金を前記他方の軌道輪の周面の一部で前記スリンガに対向する部分に嵌合固定すると共に、前記シール部材を構成する複数本のシールリップの先端部を、前記スリンガの表面に全周に亙り摺接させている、
組み合わせシールリング付転がり軸受ユニットの製造方法であって、
前記一方の軌道輪の熱処理後に、この一方の軌道輪の表面のうち、前記スリンガ用嵌合面部分と、このスリンガ用嵌合面の軸方向片側隣りに存在する別の面部分と、これら両部分同士の繋ぎ目部分とから成る、互いに連続した部分を、総型の回転砥石により同時に研削する事により、この互いに連続した部分全体を、断面形状に関して微分不能な角部がなく滑らかに連続した平滑面とする、組み合わせシールリング付転がり軸受ユニットの製造方法。
【請求項５】
製造対象となる組み合わせシールリング付転がり軸受ユニットに関して、シールリングを構成する芯金は、金属板を曲げ成形する事により、全体を、一部に円筒部を含んだ円環状に造られていて、この円筒部を、他方の軌道輪の周面の一部でスリンガに対向する部分に設けられた円筒状のシールリング用嵌合面に、このシールリング用嵌合面の軸方向片側から圧入する事により締り嵌めで嵌合固定しており、
一方の軌道輪の熱処理後にこの一方の軌道輪の一部を滑らかに連続する平滑面とする事に加えて、前記他方の軌道輪の熱処理後に、この他方の軌道輪の表面のうち、前記シールリング用嵌合面部分と、このシールリング用嵌合面の軸方向片側隣りに存在する別の面部分と、これら両部分同士の繋ぎ目部分とから成る、互いに連続した部分を、総型の回転砥石により同時に研削する事により、この互いに連続した部分全体を、断面形状に関して微分不能な角部がなく滑らかに連続した平滑面とする、請求項４に記載した組み合わせシールリング付転がり軸受ユニットの製造方法。
【発明の詳細な説明】
【技術分野】
【０００１】
この発明は、例えば自動車の車輪を懸架装置に対して回転自在に支持する為の転がり軸受ユニットのうち、回転側軌道輪と静止側軌道輪との互いに対向する周面同士の間に存在して複数個の転動体を設置した環状空間の端部開口を、スリンガとシールリングとから成る組み合わせシールリングにより塞いで成る、組み合わせシールリング付転がり軸受ユニット、及び、その製造方法の改良に関する。具体的には、一方の軌道輪と前記スリンガとの嵌合部のシール性が損なわれない様に組み立てられる構造及びその製造方法の実現を図るものである。
【背景技術】
【０００２】
図１１〜１２は、自動車の車輪を懸架装置に対して回転自在に支持する為の転がり軸受ユニットの従来構造の１例を示している。この図１１〜１２に示した転がり軸受ユニット１は、使用時に懸架装置に支持固定されて回転しない静止側軌道輪である外輪２と、使用時に車輪を支持固定した状態で回転する回転側軌道輪であるハブ３とを、互いに同心に配置している。そして、この外輪２の内周面に設けた、それぞれが静止側軌道である複列の外輪軌道４、４と、前記ハブ３の外周面に設けた、それぞれが回転側軌道である複列の内輪軌道５、５との間に、それぞれが転動体である玉６、６を、両列毎に複数個ずつ配置している。これら各玉６、６は、それぞれ保持器７、７により、転動自在に保持している。尚、前記ハブ３は、ハブ本体１８と、このハブ本体１８の軸方向内端部（軸方向に関して「外」とは、自動車への組み付け状態で車両の幅方向外側を言い、各図の左側。反対に、車両の幅方向中央側となる、各図の右側を、軸方向に関して「内」と言う。本明細書全体で同じ。）に外嵌固定した内輪１９とから成る。そして、前記両内輪軌道５、５のうち、軸方向外側の内輪軌道５は、前記ハブ本体１８の軸方向中間部外周面に、軸方向内側の内輪軌道５は、前記内輪１９の外周面に、それぞれ形成されている。
【０００３】
前記外輪２の内周面と前記ハブ３の外周面との間で前記各玉６、６を設置した環状空間８の両端開口は、それぞれシールリング９と組み合わせシールリング１０とによって、全周に亙り塞いでいる。これにより、前記環状空間８内に存在するグリースが外部空間に漏洩する事の防止と、外部空間に存在する水分や塵芥等の異物が前記環状空間８内に侵入する事の防止とを図っている。前記シールリング９は、弾性材製で円環状のシール部材１１と、このシール部材１１を補強する円環状の芯金１２とを備える。そして、このうちの芯金１２を前記外輪２の軸方向外端部に締り嵌めで内嵌した状態で、前記シール部材１１を構成する複数本のシールリップの先端縁を前記ハブ本体１８の軸方向中間部外周面に、全周に亙り摺接させている。
【０００４】
又、前記組み合わせシールリング１０は、スリンガ１３とシールリング１４とから成る。このうちのスリンガ１３は、金属板を曲げ成形する事により断面Ｌ字形で全体を円環状に構成したもので、円筒部１５と、この円筒部１５の軸方向内端縁から径方向外方に折れ曲がった円輪部１６と、これら円筒部１５と円輪部１６との連続部に存在する、断面円弧形の湾曲部１７とから成る。この様なスリンガ１３は、前記円筒部１５を、前記内輪１９の軸方向内端部外周面に設けた円筒状のスリンガ用嵌合面２０に締り嵌めで外嵌（圧入外嵌）する事により、前記内輪１９に対し固定している。又、前記シールリング１０は、弾性材製で円環状のシール部材２１と、このシール部材２１を補強する円環状の芯金２２とを備える。この様なシールリング１０は、この芯金２２の外周縁部に設けた円筒部２３を、前記外輪２の軸方向内端部内周面に設けた円筒状のシールリング用嵌合面２４に締り嵌めで内嵌（圧入内嵌）する事により、前記外輪２に対し固定している。又、この状態で、前記シール部材２１を構成する複数本のシールリップの先端縁を前記スリンガ１３の表面に、全周に亙り摺接させている。尚、前記内輪１９の外周面の軸方向内端縁部分と、前記外輪２の内周面の軸方向内端縁部分とには、それぞれ断面円弧形の面取り部２５、２６を設けている。これら各面取り部２５、２６は、前記スリンガ用、シールリング用各嵌合面２０、２４に前記各円筒部１５、２３を軸方向内側から圧入する際の乗り上げガイドとして機能する。
【０００５】
上述した様な転がり軸受ユニット１を製造する場合に、外輪２及びハブ３（ハブ本体１８、内輪１９）は、所定の形状及び寸法を得る為の旋削加工を施されてから、硬度や靱性を高める為の熱処理を施された後、外輪、内輪各軌道４、５やシールリング用、スリンガ用各嵌合面２４、２０等の面精度や面粗さ等を整える為の研削加工を施されると言った様に、複数の工程を経て造られる。特許文献１には、このうちの研削加工を効率良く行う方法として、図１３に示す様に、軸方向内側の内輪軌道５とスリンガ用嵌合面２０とを、総型の回転砥石３１により同時に研削する方法や、図１４に示す様に、軸方向内側の外輪軌道４とシールリング用嵌合面２４とを、総型の回転砥石３５により同時に研削する方法が記載されている。
【０００６】
ところが、上述の図１３（図１４）に示した様な方法で研削加工を行うと、次の様な不具合を生じる可能性がある。即ち、前記内輪１９（前記外輪２）を造る場合、互いに隣接して設けられる、前記スリンガ用嵌合面２０（前記シールリング用嵌合面２４）と前記面取り部２５（前記面取り部２６）とは、熱処理前の状態では、熱処理に先立って行う旋削加工により、互いの端縁同士を滑らかに連続させた状態に形成する事ができる。しかしながら、熱処理後に行う研削加工後の状態では、前記端縁同士の連続部が、滑らかではなくなる。即ち、上述の図１３（図１４）に示した様に、前記スリンガ用嵌合面２０（前記シールリング用嵌合面２４）と前記面取り部２５（前記面取り部２６）とのうちの、スリンガ用嵌合面２０（前記シールリング用嵌合面２４）のみが研削される為、研削面であるスリンガ用嵌合面２０（前記シールリング用嵌合面２４）と、旋削面である面取り部２５（前記面取り部２６）との繋ぎ目２７（繋ぎ目３２）部分に、稜部｛先の尖った角部（断面形状に関して微分不能な角部）｝が形成される。特に、前記内輪１９（前記外輪２）の場合、各部位の肉厚差が大きい事に起因して、各部位の熱処理膨張量差が大きくなり易く、熱処理後の真円度の崩れも大きくなる為、上述した研削加工時の削り代を大きく取る必要がある。この結果、前記繋ぎ目２７（繋ぎ目３２）部分に前記稜部が、先端が鋭く、しかも円周方向に不均一に形成される。この為、前記スリンガ用嵌合面２０（前記シールリング用嵌合面２４）に、前記スリンガ１３（前記シールリング１４）の円筒部１５（円筒部２３）を軸方向内側から圧入する際に、前記繋ぎ目２７（繋ぎ目３２）部分がこの円筒部１５（円筒部２３）の乗り上げガイドとして正常に機能せず、前記スリンガ１３（前記シールリング１４）の姿勢が傾いてしまったり、更には、前記円筒部１５（円筒部２３）の内周面に、前記稜部によって軸方向の傷が付けられる可能性がある。
【０００７】
特に、前記スリンガ１３の場合、円筒部１５の剛性は、円輪部１６に近い部分程高くなっている。この為、前記スリンガ用嵌合面２０に対する前記円筒部１５の嵌合締め代が全体的に均一に設定されている場合には、これらスリンガ用嵌合面２０と円筒部１５との嵌合面圧は、前記円輪部１６に近い部分程高くなる。この事は、上述した圧入時に前記円筒部１５の内周面に付けられる軸方向の傷の幅や深さも、前記円輪部１６に近い部分程大きくなり、この円輪部１６に最も近い部分（前記円筒部１５の内周面の軸方向内端部）で最も大きくなる事を意味している。又、前記傷の形成に伴って前記円筒部１５の内周面から除去される切り屑が、圧入の進行と共に大きくなり、前記傷の断面も大きくなる。この結果、前記傷が、この円筒部１５の内周面の軸方向内端部を貫通し、この円筒部１５の内周面（前記スリンガ用嵌合面２０と嵌合接触する部分）に、軸方向の全長に亙り、軸受外部に向かう程断面が大きくなる傷が形成され易くなる。
【０００８】
前記シールリング１４の場合も、上述した圧入に伴って、芯金２２を構成する円筒部２３の外周面（前記シールリング用嵌合面２４と嵌合接触する部分）に軸方向の全長に亙る傷が形成される可能性がある。但し、上述した従来構造の場合には、前記芯金２２に固定されたシール部材２１の外周縁部が、前記外輪２の軸方向内端部内周面に全周に亙り弾性的に接触している。この為、前記円筒部２３の外周面に軸方向の全長に亙る傷が形成されたとしても、前記シール部材２１の外周縁部によって、前記円筒部２３と前記シールリング用嵌合面２４との嵌合部のシール性を或る程度保持する事ができる。
【０００９】
これに対し、前記スリンガ１３の場合には、前記シールリング１４の場合と異なり、シール部材を備えていない。この為、上述した圧入に伴って、前記スリンガ１３を構成する円筒部１５の内周面に軸方向の全長に傷が形成された場合には、この傷によって、この円筒部１５と前記スリンガ用嵌合面２０との嵌合部のシール性が損なわれる。即ち、この傷を通じて、前記環状空間８内に存在するグリースが外部空間に漏洩し易くなると共に、外部空間に存在する水分や塵芥等の異物が前記環状空間８内に侵入し易くなる。
【先行技術文献】
【特許文献】
【００１０】
【特許文献１】特開２００６−３２９３２２号公報
【発明の概要】
【発明が解決しようとする課題】
【００１１】
本発明の組み合わせシールリング付転がり軸受ユニット及びその製造方法は、上述した様な事情に鑑み、一方の軌道輪とスリンガとの嵌合部のシール性が損なわれない様に組み立てられる構造を実現すべく発明したものである。
【課題を解決するための手段】
【００１２】
本発明のシールリング付転がり軸受ユニット及びその製造方法の対象となる、シールリング付転がり軸受ユニットは、転がり軸受ユニットと、組み合わせシールリングとを備える。
このうちの転がり軸受ユニットは、互いに同心に配置された回転側軌道輪及び静止側軌道輪と、これら回転側軌道輪及び静止側軌道輪の互いに対向する周面にそれぞれ設けられた回転側軌道と静止側軌道との間に転動自在に設けられた複数個の転動体とを備える。
又、前記組み合わせシールリングは、前記回転側軌道輪と前記静止側軌道輪との互いに対向する周面同士の間に存在する環状空間の端部開口を塞ぐもので、スリンガと、シールリングとを備える。
このうちのスリンガは、金属板を曲げ成形する事により、全体を、一部に円筒部を含んだ円環状に造られている。そして、このうちの円筒部を、前記回転側軌道輪と前記静止側軌道輪とのうちの一方の軌道輪の周面の一部で他方の軌道輪の周面に対向する部分に設けられた円筒状のスリンガ用嵌合面に、このスリンガ用嵌合面の軸方向片側から圧入する事により、締り嵌めで嵌合固定している。
又、前記シールリングは、円環状の芯金と、この芯金により補強された、弾性材製で円環状のシール部材とを備えたもので、このうちの芯金を前記他方の軌道輪の周面の一部で前記スリンガに対向する部分に嵌合固定すると共に、前記シール部材を構成する複数本のシールリップの先端部を、前記スリンガの表面に全周に亙り摺接させている。
【００１３】
特に、請求項１に記載した組み合わせシールリング付転がり軸受ユニットに於いては、前記一方の軌道輪の表面のうち、前記スリンガ用嵌合面部分と、このスリンガ用嵌合面の軸方向片側隣りに存在する別の面部分と、これら両部分同士の繋ぎ目部分とから成る、互いに連続した部分全体が、前記一方の軌道輪の熱処理後に、総型の回転砥石により同時に研削される事により、断面形状に関して微分不能な角部がなく滑らかに連続した平滑面になっている。
【００１４】
又、請求項４に記載した組み合わせシールリング付転がり軸受ユニットの製造方法の場合には、前記一方の軌道輪の熱処理後に、この一方の軌道輪の表面のうち、前記スリンガ用嵌合面部分と、このスリンガ用嵌合面の軸方向片側隣りに存在する別の面部分と、これら両部分同士の繋ぎ目部分とから成る、互いに連続した部分を、総型の回転砥石により同時に研削する事により、この互いに連続した部分全体を、断面形状に関して微分不能な角部がなく滑らかに連続した平滑面とする。
【００１５】
尚、本発明の組み合わせシールリング付転がり軸受ユニット及びその製造方法は、前記シールリングを構成する芯金が、金属板を曲げ成形する事により、全体を、一部に円筒部を含んだ円環状に造られていて、この円筒部を、前記他方の軌道輪の周面の一部でスリンガに対向する部分に設けられた円筒状のシールリング用嵌合面に、このシールリング用嵌合面の軸方向片側から圧入する事により締り嵌めで嵌合固定しているシールリング付転がり軸受ユニットを対象として実施する事もできる。
この様なシールリング付転がり軸受ユニットを対象として、本発明のシールリング付転がり軸受ユニットを実施する場合に、好ましくは、請求項２に記載した発明の様に、前記他方の軌道輪の表面のうち、前記シールリング用嵌合面部分と、このシールリング用嵌合面の軸方向片側隣りに存在する別の面部分と、これら両部分同士の繋ぎ目部分とから成る、互いに連続した部分全体が、前記他方の軌道輪の熱処理後に、総型の回転砥石により同時に研削される事により、断面形状に関して微分不能な角部がなく滑らかに連続した平滑面になっている構成を採用する。
同じく、本発明のシールリング付転がり軸受ユニットの製造方法を実施する場合に、好ましくは、請求項５に記載した発明の様に、前記一方の軌道輪の熱処理後にこの一方の軌道輪の一部を滑らかに連続する平滑面とする事に加えて、前記他方の軌道輪の熱処理後に、この他方の軌道輪の表面のうち、前記シールリング用嵌合面部分と、このシールリング用嵌合面の軸方向片側隣りに存在する別の面部分と、これら両部分同士の繋ぎ目部分とから成る、互いに連続した部分を、総型の回転砥石により同時に研削する事により、この互いに連続した部分全体を、断面形状に関して微分不能な角部がなく滑らかに連続した平滑面とする。
【００１６】
又、本発明の組み合わせシールリング付転がり軸受ユニットを実施する場合で、前記スリンガとして、円筒部と、この円筒部の軸方向両端縁のうち、この円筒部の前記スリンガ用嵌合面への圧入方向と反対側の軸方向端縁である軸方向一端縁から前記他方の軌道輪に向け径方向に折れ曲がった円輪部と、この円輪部と前記円筒部との連続部に存在する断面円弧形の湾曲部とを備えたものを使用する場合に、好ましくは、請求項３に記載した発明の様に、前記円筒部の軸方向他端部及び中間部のみを前記スリンガ用嵌合面に、このスリンガ用嵌合面の軸方向片側から圧入する事により締り嵌めで嵌合固定する構成を採用する。
【発明の効果】
【００１７】
上述の様に構成する、本発明の組み合わせシールリング付転がり軸受ユニット、及び、本発明の製造方法によって造られた組み合わせシールリング付転がり軸受ユニットの場合、一方の軌道輪の表面のうち、スリンガ用嵌合面部分とこのスリンガ用嵌合面の軸方向片側隣りに存在する別の面部分との繋ぎ目部分は、断面形状に関して微分不能な（尖った）角部になっておらず（角部になっていたとしても先端が丸まっており）、しかも円周方向のうねりがほぼ存在しない部分になっている。言い換えれば、前記繋ぎ目部分は、前記スリンガ用嵌合面にスリンガの円筒部を圧入する際に、この円筒部の乗り上げガイドとして正常に機能して、このスリンガの姿勢が傾く事を防止できると共に、この円筒部の周面に軸方向の傷を付けにくい部分になっている。従って、この圧入の際に、この円筒部の周面に軸方向の傷が付く事により、前記一方の軌道輪と前記スリンガとの嵌合部のシール性が損なわれると言った不具合を、発生しにくくできる。
【００１８】
又、請求項２に記載した組み合わせシールリング付転がり軸受ユニット、及び、請求項５に記載した製造方法によって造られた組み合わせシールリング付転がり軸受ユニットの場合には、前記他方の軌道輪の表面のうち、シールリング用嵌合面部分とこのシールリング用嵌合面の軸方向片側隣りに存在する別の面部分と繋ぎ目部分は、断面形状に関して微分不能な（尖った）角部になっておらず（角部になっていたとしても先端が丸まっており）、しかも円周方向のうねりがほぼ存在しない部分になっている。言い換えれば、前記繋ぎ目部分は、前記シールリング用嵌合面にシールリングを構成する芯金の円筒部を圧入する際に、この円筒部の乗り上げガイドとして正常に機能して、このシールリングの姿勢が傾く事を防止できると共に、この円筒部の周面に軸方向の傷を付けにくい部分になっている。従って、この圧入の際に、この円筒部の周面に軸方向の傷が付く事により、前記他方の軌道輪と前記シールリングとの嵌合部のシール性が損なわれると言った不具合を、発生しにくくできる。尚、上述の様な請求項２、５に記載した発明は、シールリングを構成する芯金の円筒部と、他方の軌道輪のシールリング用嵌合面との嵌合部のシール性向上に寄与するものであるから、請求項１、３に記載した発明とは独立して実施する事も可能である。
【００１９】
又、請求項３に記載した組み合わせシールリング付転がり軸受ユニットの場合には、スリンガ用嵌合面にスリンガの円筒部の軸方向他端部及び中間部のみを、このスリンガ用嵌合面の軸方向片側から圧入する為、この圧入の際、仮に、前記スリンガ用嵌合面部分とこのスリンガ用嵌合面の軸方向片側隣りに存在する別の面部分との繋ぎ目部分によって、前記スリンガの円筒部の周面に軸方向の傷が付けられたとしても、この軸方向の傷が、前記スリンガ用嵌合面と前記スリンガとの嵌合部を、軸方向に貫通する状態で形成される事はない。即ち、この軸方向の傷の生成は、前記嵌合部の外部空間側の端部で止まり、この外部空間に開口しない。従って、前記傷が前記嵌合部を軸方向に貫通し、この嵌合部のシール性が大きく損なわれると言った事態が発生する事を回避できる。
【００２０】
又、請求項３に記載した発明の場合には、スリンガ用嵌合面とスリンガの円筒部の周面との実質的な軸方向の接触幅を広くできる。即ち、前記スリンガ用嵌合面に前記スリンガの円筒部全体を圧入すると、このスリンガの軸方向一端縁に存在する円輪部の円周方向応力の影響により、前記スリンガ用嵌合面に対して、前記円筒部の周面の軸方向一端縁部分のみが強く接触し、この周面の軸方向の他の部分は殆ど接触しなくなると言った状態になり易い。この様な状態になった場合には、前記スリンガ用嵌合面と前記円筒部の周面との実質的な軸方向の接触幅が非常に狭くなる（実質的な軸方向の接触幅が、この円筒部の軸方向一端縁部分の軸方向幅となる）。これに対して、請求項３に記載した発明の場合には、スリンガ用嵌合面にスリンガの円筒部の軸方向他端部及び中間部のみを圧入する（この円筒部の軸方向一端部を圧入しない）為、このスリンガの軸方向一端縁に存在する円輪部の円周方向応力の影響を殆ど受ける事がなく、前記スリンガ用嵌合面に対して、前記円筒部の軸方向他端部及び中間部の周面全体を強く接触させる事ができる。この結果、前記スリンガ用嵌合面と前記円筒部の周面との実質的な軸方向の接触幅を広くできる（実質的な軸方向の接触幅を、この円筒部の軸方向他端部及び中間部の軸方向幅にできる）。
【００２１】
更に、請求項３に記載した発明の場合には、スリンガ用嵌合面とスリンガの円筒部の周面との接触面圧を、全周に亙りほぼ均一にできる。即ち、上述した様に、前記スリンガ用嵌合面に前記スリンガの円筒部全体を圧入すると、このスリンガの軸方向一端縁に存在する円輪部の円周方向応力の影響により、前記円筒部の周面の軸方向一端縁部分が最も強く、前記スリンガ用嵌合面に接触する状態になり易い。ところが、前記スリンガは、金属板のプレス成形品である為、前記円筒部の内周面の軸方向一端縁部分の出来映え形状が、円周方向に関して不均一になり易い。この為、前記スリンガ用嵌合面と前記円筒部の周面との接触面圧が、円周方向に関して不均一になり易い。これに対して、請求項３に記載した発明の様に、スリンガ用嵌合面にスリンガの円筒部の軸方向他端部及び中間部のみを圧入すると、このスリンガ用嵌合面の軸方向片端縁部分（このスリンガ用嵌合面とその軸方向片側隣りに存在する面との繋ぎ目部分）が最も強く、前記円筒部の周面の軸方向中間部に接触する。この繋ぎ目部分は、総型の回転砥石により研削成形されている為、出来映え形状が円周方向に関して均一になっている。又、前記円筒部の周面の軸方向中間部も、出来映え形状が円周方向に関して比較的（この円筒部の周面の軸方向一端縁部分に比べれば）均一に近い状態になっている。この為、前記スリンガ用嵌合面と前記円筒部の周面との接触面圧を、全周に亙りほぼ均一にできる。
【００２２】
以上に述べた様に、請求項３に記載した発明の場合には、スリンガ用嵌合面とスリンガの円筒部の周面との実質的な軸方向の接触幅を広くできると共に、これらスリンガ用嵌合面と円筒部の周面との接触面圧を全周に亙りほぼ均一にできる。この為、これらスリンガ用嵌合面と円筒部との嵌合部のシール性を良好にする為の設計が容易となる（ロバスト性を向上させる事ができる）。
【００２３】
尚、上述した様な請求項３に記載した発明による効果は、請求項３に記載した「スリンガの円筒部の軸方向他端部及び中間部のみをスリンガ用嵌合面に、このスリンガ用嵌合面の軸方向片側から圧入する事により締り嵌めで嵌合固定する」構成を採用すれば、請求項１に記載した「一方の軌道輪の表面のうち、前記スリンガ用嵌合面部分と、このスリンガ用嵌合面の軸方向片側隣りに存在する別の面部分と、これら両部分同士の繋ぎ目部分とから成る、互いに連続した部分全体が、前記一方の軌道輪の熱処理後に、総型の回転砥石により同時に研削される事により、断面形状に関して微分不能な角部がなく滑らかに連続した平滑面になっている」構成を採用しなくても得られる。但し、前者の構成と同時に後者の構成を採用すれば、当該効果を十分に高められる。
【図面の簡単な説明】
【００２４】
【図１】本発明の実施の形態の第１例を示す、図１２と同様の図。
【図２】本例の内輪表面の研削方法を示す部分断面図。
【図３】図２のイ部拡大図。
【図４】本例の外輪表面の研削方法を示す部分断面図。
【図５】図４のロ部拡大図。
【図６】本発明の実施の形態の第２例を示す、内輪とスリンガとの嵌合部の軸方向内端部分の拡大断面図。
【図７】同第３例を示す、内輪の外周面にスリンガを圧入する直前の状態を示す部分拡大断面図。
【図８】同第４例を示す、図１と同様の図。
【図９】同第５例を示す、図１と同様の図。
【図１０】同第６例を示す、図１と同様の図。
【図１１】従来構造の１例を示す断面図。
【図１２】図１１のハ部拡大図。
【図１３】従来の内輪表面の研削方法の１例を示す部分断面図。
【図１４】従来の外輪表面の研削方法の１例を示す部分断面図。
【発明を実施するための形態】
【００２５】
［実施の形態の第１例］
図１〜５は、請求項１、２、４、５に対応する、本発明の実施の形態の第１例を示している。尚、本例の特徴は、内輪１９ａの軸方向内端部外周面の形状と、外輪２ａの軸方向内端部内周面の形状と、これらの加工方法とを工夫した点にある。その他の部分の構造及び作用は、前述の図１１〜１２に示した従来構造の場合と同様であるから、重複する図示並びに説明は省略若しくは簡略にし、以下、本例の特徴部分を中心に説明する。
【００２６】
本例の場合、前記内輪１９ａの外周面のうち、軸方向内端部に存在する円筒状のスリンガ用嵌合面２０部分と、軸方向内端縁に存在する断面円弧形の面取り部２５ａの外径側部分（軸方向外側部分）と、これら両部分同士の繋ぎ目２７ａ部分との、互いに連続した部分全体を、断面形状に関して微分不能な（尖った）角部がなく滑らかに連続した研削面（平滑面）としている。この為に本例の場合には、前記内輪１９ａの製造工程の仕上げ段階（所定の形状及び寸法を得る為の旋削加工と、硬度や靭性を高める為の熱処理とを、順次行った後の段階）で、図２〜３に示す様に、前記内輪１９ａの表面のうち、軸方向外端面４３部分、並びに、軸方向外端寄りに存在するカウンタボア２８部分と、内輪軌道５部分と、前記スリンガ用嵌合面２０部分と、前記面取り部２５ａの外径側部分と、これら各部分同士の繋ぎ目２９、３０、２７ａ部分とから成る、互いに連続した部分とに、総型の回転砥石３１ａによって、同時に研削加工を施している。
【００２７】
本例の場合、この回転砥石３１ａの回転中心軸Ｘは、前記内輪軌道５を転走する各玉６、６（図１１参照）に付与する接触角αの方向と直角な方向に配置し、且つ、前記回転砥石３１ａの切り込み送り方向は、この接触角αの方向（前記回転中心軸Ｘと直角な方向）に一致させている。又、本例の場合には、前記内輪軌道５を、正確な輪郭形状を有し、且つ、後工程である超仕上げで消せる程度の良好な粗さの研削面に加工できる様にすべく、前記回転砥石３１ａとして、比較的粒度が細かく、結合度の高いものを選択使用している。一般に、この様な回転砥石３１ａの場合、切り込み送り方向に対する加工面の傾斜角度が４５度よりも小さくなると、この加工面に目詰まりが発生し易くなり、この結果、被加工面に研削焼けや研削割れが生じ易くなる。そこで、本例の場合には、前記回転砥石３１ａの加工面のうち、前記面取り部２５ａの外径側部分（この面取り部２５ａのうち、前記切り込み送り方向に対する接線の傾斜角度が４５度以上になる部分）と対向する部分（図３の区間Ｐ部分）の断面形状のみを、当該外径側部分の断面形状と合致する円弧形状とし、それよりも軸方向内側（図４の右側）の部分の断面形状を、前記切り込み送り方向に対する傾斜角度θaが４５度となる直線形状としている。上述した様に、前記回転砥石３１ａの切り込み送り方向は、前記接触角αの方向に一致させている。この接触角αは、通常、前記内輪１９ａの径方向に対して３０〜４０度程度である。この為、前記面取り部２５ａの研削範囲は、この面取り部２５ａの軸方向外端縁から、前記内輪１９ａの径方向に対して（軸方向内側に向けて）１５〜５度程度までの範囲となる。尚、本例の場合には、前記切り込み送り方向に対する、前記スリンガ用嵌合面２０の傾斜角度よりも、前記面取り部２５ａの研削範囲の傾斜角度の方が大きくなる為、この面取り部２５ａの研削範囲の表面粗さを、前記スリンガ用嵌合面２０の表面粗さよりも良好にする事ができる。従って、この面取り部２５ａの研削範囲に関する、後述するスリンガ１３の圧入時の乗り上げガイドとしての機能を高める事ができる。
【００２８】
又、本例の場合、前記外輪２ａの内周面のうち、軸方向内端部に存在する円筒状のシールリング用嵌合面２４部分と、軸方向内端縁に存在する断面円弧形の面取り部２６ａの内径側部分（軸方向外側部分）と、これら両部分同士の繋ぎ目３２ａ部分とから成る、互いに連続した部分全体を、断面形状に関して微分不能な（尖った）角部がなく滑らかに連続した平滑面（研削面）としている。この為に本例の場合には、前記外輪２ａの製造工程の仕上げ段階（所定の形状及び寸法を得る為の旋削加工と、硬度や靭性を高める為の熱処理とを、順次行った後の段階）で、図４〜５に示す様に、前記外輪２ａの表面のうち、軸方向内側の外輪軌道４部分と、軸方向内端寄り部分に存在するカウンタボア３３部分と、これら両部分同士の繋ぎ目３４部分とから成る、互いに連続した部分、並びに、前記シールリング用嵌合面２４部分と、前記面取り部２６ａの内径側部分と、これら両部分同士の繋ぎ目３２ａ部分とから成る、互いに連続した部分とに、総型の回転砥石３５ａによって同時に研削加工を施している。
【００２９】
本例の場合、この回転砥石３５ａの回転中心軸Ｙは、前記外輪２ａの中心軸に対して平行に配置し、且つ、前記回転砥石３５ａの切り込み送り方向は、前記外輪２ａの径方向に一致させている。又、本例の場合には、前記外輪軌道４を、正確な輪郭形状を有し、且つ、後工程である超仕上げで消せる程度の良好な粗さの研削面に加工できる様にすべく、前記回転砥石３５ａとして、比較的粒度が細かく、結合度の高いものを選択使用している。前述した様に、一般に、この様な回転砥石３５ａの場合、切り込み送り方向に対する加工面の傾斜角度が４５度よりも小さくなると、この加工面に目詰まりが発生し易くなり、被加工面に研削焼けや研削割れと言った不具合が発生し易くなる。そこで、本例の場合には、前記回転砥石３５ａの加工面のうち、前記面取り部２６ａの内径側部分（この面取り部２６ａのうち、前記切り込み送り方向に対する接線の傾斜角度が４５度以上になる部分）と対向する部分（図５の区間Ｑ部分）の断面形状のみを、当該内径側部分の断面形状と合致する円弧形状とし、それよりも軸方向内側（図４の右側）の部分の断面形状を、前記切り込み送り方向に対する傾斜角度θbが４５度となる直線形状としている。上述した様に、前記回転砥石３５ａの切り込み送り方向は、前記外輪２ａの径方向に一致させている。この為、前記面取り部２６ａの研削範囲は、この面取り部２６ａの軸方向外端縁から、前記外輪２ａの径方向に対して（軸方向内側に向けて）４５度までの範囲となる。尚、本例の場合には、前記切り込み送り方向に対する、前記シールリング用嵌合面２４の傾斜角度よりも、前記面取り部２６ａの研削範囲の傾斜角度の方が大きくなる為、この面取り部２６ａの研削範囲の表面粗さを、前記シールリング用嵌合面２４の表面粗さよりも良好にする事ができる。従って、この面取り部２６ａの研削範囲に関する、後述するシールリング１４の圧入時の乗り上げガイドとしての機能を高める事ができる。
【００３０】
上述の様に構成する本例の組み合わせシールリング付転がり軸受ユニット及びその製造方法の場合、内輪１９ａの表面のうち、スリンガ用嵌合面２０部分と面取り部２５ａの外径側部分との繋ぎ目２７ａ部分は、断面形状に関して微分不能な（尖った）角部になっておらず、しかも円周方向のうねりがほぼ存在しない部分になっている。言い換えれば、当該繋ぎ目２７ａ部分は、前記スリンガ用嵌合面２０にスリンガ１３の円筒部１５を圧入する際に、この円筒部１５の内周面に軸方向の傷を付けにくい部分になっている。従って、この圧入の際に、この円筒部１５の内周面に軸方向の傷が付く事により、前記内輪１９ａと前記スリンガ１３との嵌合部のシール性が損なわれると言った不具合を、発生しにくくできる。更に、前記面取り部２５ａの外径側部分の表面粗さは、前記スリンガ用嵌合面２０の表面粗さよりも良好である為、上述した圧入時に前記面取り部２５ａの外径側部分で引っ掛かりが生じて、前記スリンガ１３の姿勢が傾くと言った不具合が生じる事を回避できる。
【００３１】
又、本例の場合、外輪２ａの表面のうち、シールリング用嵌合面２４部分と面取り部２６ａの内径側部分と繋ぎ目３２ａ部分は、断面形状に関して微分不能な（尖った）角部になっておらず、しかも円周方向のうねりがほぼ存在しない部分になっている。言い換えれば、当該繋ぎ目３２ａ部分は、前記シールリング用嵌合面２４にシールリング１４を構成する芯金２２の円筒部２３を圧入する際に、この円筒部２３の外周面に軸方向の傷を付けにくい部分になっている。従って、この圧入の際に、この円筒部２３の外周面に軸方向の傷が付く事により、前記外輪２ａと前記シールリング１４との嵌合部のシール性が損なわれると言った不具合を、発生しにくくできる。更に、前記面取り部２６ａの内径側部分の表面粗さは、前記シールリング用嵌合面２４の表面粗さよりも良好である為、上述した圧入時に前記面取り部２６ａの内径側部分で引っ掛かりが生じて、前記シールリング１４の姿勢が傾くと言った不具合が生じる事を回避できる。
【００３２】
尚、上述した第１例の場合には、内輪１９ａの面取り部２５ａの研削範囲が、外輪２ａの面取り部２６ａの研削範囲よりも狭くなりがちであるが、この内輪１９ａの面取り部２５ａの研削範囲の軸方向内端縁の直径は、少なくとも圧入前のスリンガ１３の円筒部１５の内径寸法よりも小さくする必要がある。この様な要求に応えられる程、前記内輪１９ａの面取り部２５ａの研削範囲を確保できそうにない場合には、前記傾斜角度θaを４５度よりも或る程度（加工面の目詰まりが容易に発生しない程度）小さくしたり、前記内輪１９ａの面取り部２５ａの形状や寸法を変更したりして、上述した要求に応えられる様にする。或いは、前記内輪１９ａの中心軸に対する前記回転砥石３１ａの回転中心軸の傾斜角度を、上述した第１例の場合よりも小さくしても良い。
【００３３】
［実施の形態の第２例］
図６は、請求項１、２、４、５に対応する、本発明の実施の形態の第２例を示している。本例の場合、内輪１９ｂの外周面の軸方向内端部に設けた面取り部２５ｂは、この内輪１９ｂの熱処理前の旋削加工によって形成された、内径側の断面円弧形の凸曲面部３６と、同じく熱処理後の研削加工によって形成された、外径側の円すい面部３７とが組み合わさった、複合曲面となっている。即ち、本例の場合には、前記熱処理前の旋削加工により、断面形状が単一円弧形の面取り部を形成した後、前記熱処理後の研削加工により、この面取り部の外径側部分を前記円すい面部３７に仕上げる事によって、前記面取り部２５ｂを形成している。尚、本例の場合も、前記内輪１９ｂの外周面のうち、スリンガ用嵌合面２０部分と、前記面取り部２５ｂの外径側部分（前記円すい面部３７に仕上げられる部分）と、これら両部分同士の繋ぎ目２７ａ部分とから成る、互いに連続した部分を、総型の回転砥石により同時に研削する事により、この互いに連続した部分全体を、断面形状に関して微分不能な角部がない平滑面としている。この様な構成を有する本例の場合には、前記面取り部２５ｂの外径側部分（研削面）を円すい面部３７としている為、この外径側部分の軸方向内端縁の直径を、圧入前のスリンガ１３の円筒部１５の内径寸法よりも小さくする事が容易となる。その他の構成及び作用は、上述した第１例の場合と同様である。
【００３４】
［実施の形態の第３例］
図７は、請求項１、２、４、５に対応する、本発明の実施の形態の第３例を示している。本例の場合には、内輪１９ｃの外周面のうち、スリンガ用嵌合面２０の軸方向内側隣りに、軸方向内側に向かう程外径寸法が小さくなる円すい面部３８を、この円すい面部３８の軸方向内側隣りに円筒状の小径段部３９を、それぞれ設けている。そして、これらスリンガ用嵌合面２０部分と、円すい面部３８部分と、小径段部３９部分と、これら各部分同士の繋ぎ目４０、４１部分とから成る、互いに連続した部分を、総型の回転砥石により同時に研削する事により、この互いに連続した部分全体を、断面形状に関して微分不能な角部がない平滑面としている。又、前記スリンガ用嵌合面２０の外径寸法Ｄaは、圧入前のスリンガ１３の円筒部１５の内径寸法Ｄbよりも、嵌合締め代分だけ大きい（Ｄa＞Ｄb）が、前記小径段部３９の外径寸法Ｄcは、圧入前のスリンガ１３の円筒部１５の内径寸法Ｄbよりも、僅かに小さい（Ｄc＜Ｄb）。
【００３５】
この様な構成を有する本例の場合、前記スリンガ用嵌合面２０に前記スリンガ１３の円筒部１５を圧入する際に、前記小径段部３９は、この円筒部１５の芯出しガイドとして、前記円すい面部３８は、この円筒部１５の乗り上げガイドとして、それぞれ機能する。特に、本例の場合には、この円筒部１５の芯出しガイドである小径段部３９が存在する為、この円筒部１５の中心軸が圧入の初期段階で傾斜し、この円筒部１５の内周面にかじりを起点とした軸方向傷が付くと言った不具合が発生する事を防止できる。又、前記スリンガ用嵌合面２０と前記円すい面部３８とが、繋ぎ目４０部分によって滑らかに繋がっている。この為、圧入時に、この繋ぎ目４０部分によって前記円筒部１５の内周面に軸方向の傷が付けられる事を防止できる。これと共に、前記円筒部１５が前記円すい面部３８及び繋ぎ目４０部分を通過する際に受ける、径方向外方に向いた力を抑制できる。従って、この通過に伴い、前記円筒部１５の直径が軸方向外側に向かう程大きくなると言った態様の塑性変形が生じる事を十分に抑制でき、この円筒部１５の内周面と前記スリンガ用嵌合面２０との密着性を良好にできる。その他の構成及び作用は、前述の図１〜５に示した第１例の場合と同様である。
【００３６】
尚、上述した第３例の内輪１９ｃの軸方向内端部（前記小径段部３９を形成した部分）が、外輪の軸方向内端面よりも軸方向内方に突出した構造を有する転がり軸受ユニットの場合には、前記小径段部３９（外径寸法Ｄc）を、前記スリンガ１３の圧入治具４２｛内径寸法Ｄd（＞Ｄc）｝の芯出しガイドとしても機能させる事ができる。
【００３７】
［実施の形態の第４例］
図８は、請求項１〜５に対応する、本発明の実施の形態の第４例を示している。本例の場合には、内輪１９ａのスリンガ用嵌合面２０に、スリンガ１３の円筒部１５の軸方向外端部及び中間部のみを、軸方向内側から圧入する事により、締り嵌めで外嵌している。即ち、本例の場合には、この様に外嵌した状態で、スリンガ１３の円筒部１５の内周面と湾曲部１７の内周面との繋ぎ目である、スリンガＲエンド部４４を、前記スリンガ用嵌合面２０と面取り部２５ａとの繋ぎ目２７ａよりも、軸方向内側（図８の右側）に配置している。この様な構成を有する本例の場合には、前記スリンガ用嵌合面２０に、前記スリンガ１３の円筒部１５の軸方向外端部及び中間部のみを、軸方向内側から圧入する為、この圧入の際、仮に、前記スリンガ用嵌合面２０と面取り部２５ａとの繋ぎ目２７ａ部分によって、前記円筒部１５の内周面に軸方向の傷が付けられたとしても、この軸方向の傷が、前記スリンガ用嵌合面２０と前記円筒部１５との嵌合部を、軸方向に貫通する状態で形成される事はない。即ち、この軸方向の傷の生成は、前記嵌合部の外部空間側の端部（図８の右端部）で止まり、この外部空間に開口しない。従って、前記傷が前記嵌合部を軸方向に貫通し、この嵌合部のシール性が大きく損なわれると言った事態が発生する事を回避できる。
【００３８】
又、本例の場合には、前記スリンガ１３の円筒部１５の軸方向外端部乃至中間部（円輪部１６から離れた位置に存在し、剛性がほぼ一様になっている部分）のみを、前記スリンガ用嵌合面２０に圧入しており、前記スリンガ１３の円筒部１５の軸方向内端部（前記円輪部１６の近くの位置に存在し、他の部分に比べて剛性が高くなっている部分）を、前記スリンガ用嵌合面２０に圧入していない。この為、前記円筒部１５とこのスリンガ用嵌合面２０との嵌合部の接触面圧を全体的に一様にして、この嵌合部のシール性を良好にできる。これと共に、この嵌合部の接触面圧の勾配に基づく前記円輪部１６の倒れを防止して、この円輪部１６の表面に摺接するシール部材のシールリップの耐久性が低下する事を防止できる。その他の構成及び作用は、前述の図１〜５に示した第１例の場合と同様である。
【００３９】
尚、本例の様に、スリンガ１３の円筒部１５の軸方向内端部を、内輪１９ａのスリンガ用嵌合面２０に圧入しない技術による効果は、繋ぎ目２７ａ部分が尖っている場合でも得られる。
【００４０】
［実施の形態の第５例］
図９は、請求項１〜５に対応する、本発明の実施の形態の第５例を示している。本例の場合も、上述した第４例の場合と同様、内輪１９ｄのスリンガ用嵌合面２０に、スリンガ１３の円筒部１５の軸方向外端部及び中間部のみを、軸方向内側から圧入する事により、締り嵌めで外嵌している。但し、本例の場合には、前述の図６に示した第２例の場合と同様、前記スリンガ用嵌合面２０の軸方向内側に隣接する部分に円すい面部３７ａを設けており、この円すい面部３７ａの軸方向寸法を大きくする事によって、前記内輪１９ｄの軸方向内端面を、外輪２ａの軸方向内端面と面一にし（同一平面上に位置させ）ている。又、前記スリンガ１３の円輪部１６の内側面には、回転速度検出装置を構成する為の円輪状のエンコーダ４５を添着固定すると共に、このエンコーダ４５の内側面を、前記外輪２ａ及び内輪１９ｄの軸方向内端面と面一にしている。本例の場合、これら各面を面一にする事により、量産時の作業性向上を図っている。その他の構成及び作用は、上述した各例の場合と同様である。
【００４１】
［実施の形態の第６例］
図１０は、請求項１〜５に対応する、本発明の実施の形態の第６例を示している。本例の場合には、内輪１９ｅの外周面のうち、スリンガ用嵌合面２０よりも軸方向内側に存在する部分の形状が、前述の図７に示した第３例の場合と同様の形状（円すい面部３８及び小径段部３９を有する形状）になっている。その他の構成及び作用は、上述した第５例の場合と同様であり、内輪１９ｅ及び外輪２ａの軸方向内端面とエンコーダ４５の内側面とを面一にしている。
【００４２】
尚、本発明を実施する場合、組み合わせシールリングを組み付ける転がり軸受ユニットは、前述の図１１に示した内輪回転型のものに限らず、外輪回転型のものであっても良い。
【符号の説明】
【００４３】
１  転がり軸受ユニット
２、２ａ  外輪
３  ハブ
４  外輪軌道
５  内輪軌道
６  玉
７  保持器
８  環状空間
９  シールリング
１０  組み合わせシールリング
１１  シール部材
１２  芯金
１３  スリンガ
１４  シールリング
１５  円筒部
１６  円輪部
１７  湾曲部
１８  ハブ本体
１９、１９ａ〜１９ｅ  内輪
２０  スリンガ用嵌合面
２１  シール部材
２２  芯金
２３  円筒部
２４  シールリング用嵌合面
２５、２５ａ、２５ｂ  面取り部
２６、２６ａ  面取り部
２７、２７ａ  繋ぎ目
２８  カウンタボア
２９  繋ぎ目
３０  繋ぎ目
３１、３１ａ  回転砥石
３２、３２ａ  繋ぎ目
３３  カウンタボア
３４  繋ぎ目
３５、３５ａ  回転砥石
３６  凸曲面部
３７、３７ａ  円すい面部
３８  円すい面部
３９  小径段部
４０  繋ぎ目
４１  繋ぎ目
４２  圧入治具
４３  軸方向外端面
４４  スリンガＲエンド部
４５  エンコーダ
【図１】
2012197800.tif 000003
【図２】
2012197800.tif 000004
【図３】
2012197800.tif 000005
【図４】
2012197800.tif 000006
【図５】
2012197800.tif 000007
【図６】
2012197800.tif 000008
【図７】
2012197800.tif 000009
【図８】
2012197800.tif 000010
【図９】
2012197800.tif 000011
【図１０】
2012197800.tif 000012
【図１１】
2012197800.tif 000013
【図１２】
2012197800.tif 000014
【図１３】
2012197800.tif 000015
【図１４】
2012197800.tif 000016